(57)【要約】【課題】制御用電源に独立形の太陽光発電システムを採用し、ランニングコストが削減して停電による問題の発生をなくした小荷物専用昇降機を提供する。【解決手段】巻上機モータ１７によってカゴを昇降させる小荷物専用昇降機の制御用電源に、太陽光発電システムを用い、前記太陽光発電システムが、太陽電池１８とこの太陽電池１８で発生した電力を蓄える蓄電池１９を備え、前記巻上機モータ１７側に生じる回生エネルギーを蓄電池１９に充電する。【選択図】図１
2010179971.tif 000002
【特許請求の範囲】
【請求項１】
巻上機モータによってカゴを昇降させる小荷物専用昇降機の制御用電源に、太陽電池とこの太陽電池で発生した電力を蓄える蓄電池を備えた太陽光発電システムを用い、前記巻上機モータ側に生じる回生エネルギーを蓄電池に充電するようにした小荷物専用昇降機。
【請求項２】
上記太陽光発電システムが、太陽電池及び蓄電池からの直流電流を交流電流に変換して制御用電源にする電源変換装置を備え、上記巻上機モータ側に生じる回生エネルギーを周波数変換制御装置を介して蓄電池に充電するようにした請求項１に記載の小荷物専用昇降機。
【発明の詳細な説明】
【技術分野】
【０００１】
この発明は、巻上機モータで昇降するカゴで小荷物を上下に移送する小荷物専用昇降機、更に詳しくは、太陽光発電を用いた主電源、電力回生システム及びこれらを備蓄する蓄電池を含めた電力供給システムに関する。
【背景技術】
【０００２】
小荷物専用昇降機は、設置される建物に縦孔の昇降路を建築工事にて設け、壁面や下面（ピット）にアンカーボルト等で固定される構造を有している。
【０００３】
また、特に周囲を囲んだ昇降路がなくとも、自立した縦型ユニットを必要箇所だけ建物に固定するだけのユニットタイプもある。
【０００４】
上記のような小荷物専用昇降機は、カゴとカウンターウエイトを吊りあい状に吊下げ、カゴを巻上機モータによって昇降動させるようになっており、小荷物専用昇降機の設置に際しては、何れも、前記巻上機モータや戸開閉などの動作をさせるための制御用電源が必要になる。
【０００５】
従来、小荷物専用昇降機における制御用電源は、図３のように、商用電力を用いた３相もしくは単相の専用電源を建物側に設け、そこから引き込むという電源供給方式が採られていた。
【発明の概要】
【発明が解決しようとする課題】
【０００６】
ところで、従来の電源供給方式においては、建物側に専用電源を設けてもらう必要があり、商用電力を用いることで、使用量に応じてランニングコストが発生することになり、停電時には昇降機を使用することができないという欠点があった。
【０００７】
また、建物が大規模物件の場合、昇降機の工事日程が電気工事の日程に左右され、工事計画に融通が利かないことも課題としてあった。
【０００８】
ところで、エネルギーの有効利用の点においては、小荷物専用昇降機の場合、巻上機モータのパワーを必要としない方向への運転である回生方向運転の際、巻上機モータが発電機となって回生エネルギーが生じるが、現状は図３に示したように、巻上機モータ１の回生電力を周波数変換制御装置２を介して回生抵抗３にて熱変換処理をしており、自然発生するエネルギーの有効利用ができていないのが現状である。
【０００９】
そこで、この発明の課題は、上記のような問題点を解決するため、小荷物専用昇降機の制御用電源に独立形の太陽光発電システムを採用し、ランニングコストが削減して停電による問題の発生をなくし、しかも、建物の電気工事に関係なく設置でき、かつ、回生エネルギーの有効利用が図れる小荷物専用昇降機を提供することにある。
【課題を解決するための手段】
【００１０】
上記のような課題を解決するため、この発明は、巻上機モータによってカゴを昇降させる小荷物専用昇降機の制御用電源に、太陽電池とこの太陽電池で発生した電力を蓄える蓄電池を備えた太陽光発電システムを用い、前記巻上機モータ側に生じる回生エネルギーを蓄電池に充電するようにしたものである。
【００１１】
上記太陽光発電システムが、太陽電池及び蓄電池からの直流電流を交流電流に変換して制御用電源にする電源変換装置を備え、上記巻上機モータ側に生じる回生エネルギーを周波数変換制御装置を介して蓄電池に充電するようにしてもよい。
【００１２】
ここで、上記太陽電池は、建物の屋根や壁面に設置し、発生した電力を蓄電池に蓄え、蓄電池からは電源変換装置を介して昇降機に必要な３相もしくは単相の交流商用周波数電源に変換させ、巻上機モータの動力や戸開閉の電力に使用する。
【００１３】
上記した回生エネルギーは、カゴやカウンターウエイトの下降エネルギーのほかに、巻上機モータが停止する際の制動力により、巻上機モータ側に発生する逆起電力により発生し、これを周波数変換制御装置を介して蓄電池に回生電力として充電する。
【発明の効果】
【００１４】
この発明によると、小荷物専用昇降機の制御用電源に太陽光発電システムを用いたので、外部エネルギーに依存しない環境配慮型の小荷物専用昇降機が実現でき、使用時のランニングコストが削減できるだけでなく、停電時でも蓄電池からの電力で運転でき、ユーザーに不便をかけないという利点がある。
【００１５】
また、昇降機の設置工事に関しても、建物の電気工事を待たずに昇降機を設置することが可能になり、昇降機の設置工事期間を削減することで、建物の工期削減にも貢献できる。
【００１６】
更に、巻上機モータ側に発生する回生電力を蓄電池に充電することで、回生エネルギーの有効利用が図れることになる。
【図面の簡単な説明】
【００１７】
【図１】この発明の小荷物専用昇降機に用いる太陽光発電システムのブロック図
【図２】（ａ）は太陽光発電システムの構成を示す斜視図、（ｂ）は小荷物専用昇降機の一般的な構造を示す斜視図
【図３】従来の小荷物専用昇降機に用いられている制御電源を示すブロック図
【発明を実施するための形態】
【００１８】
以下、この発明の実施の形態を添付図面に基づいて説明する。
【００１９】
図２（ｂ）は、小荷物専用昇降機の一般的な構造を示し、設置される建物に縦孔の昇降路を建築工事にて設け、カゴ１１とカウンターウエイト１２の昇降を誘導するガイドレール１３を壁面や下面（ピット）にアンカーボルト等で固定し、前記カゴ１１とカウンターウエイト１２をメインシーブ１４に相反する昇降動をするように吊下げ、カゴ１１を停止させる各階床の壁面には、開閉扉１５と操作ボタン１６等が設けられ、メインシーブ１４と連動した巻上機モータ１７の制御によって、カゴ１１を昇降動させると同時に、所望の階床で停止させるような構造になっている。
【００２０】
なお、小荷物専用昇降機は、図示のような建物内に設置するものを例示したが、特に周囲を囲んだ昇降路がなくとも、自立した縦型ユニットの構造でもよく、必要箇所だけ建物に固定するだけのユニットタイプであってもよい。
【００２１】
図１と図２は、上記のような小荷物専用昇降機において、巻上機モータ１７や戸開閉などの動作をさせるための独立型の太陽光発電システムを採用した制御用電源を示し、建物の屋根や壁面に設置する太陽電池１８と、この太陽電池１８で発生した電力を蓄える蓄電池１９と、太陽電池１８及び蓄電池１９からの直流電力を交流電力に変換して制御用電源にする電源変換装置２０からなり、太陽電池１８で発生した直流電力及び蓄電池１９で蓄え他電力を電源変換装置２０で、昇降機に必要な３相もしくは単相の交流商用周波数電源に変換させ、例えば、ＰＭモータを用いた巻上機モータ１７の動力や開閉扉１５を開閉する制御電力に使用する。
【００２２】
また、カゴ１１やカウンターウエイト１２の下降エネルギーのほかに、巻上機モータ１７が停止する際の制動力により、巻上機モータ１７側に逆起電力が発生するので、この逆起電力を周波数変換制御装置（インバータ等）２１を介して蓄電池１９に回生電力として充電するようにし、回生エネルギーの有効利用を図っている。
【００２３】
この発明の小荷物専用昇降機は、上記のような構成であり、昼間時において、昇降機の使用時は太陽電池１８で発生した電力を主体に使用し、昇降機を使用しないときは、太陽電池１８で発生した電力を蓄電池１９に充電しておき、夜間等での昇降機の使用時には蓄電池１９に蓄えた電力を使用する。
【００２４】
上記太陽電池１８で発生した電力及び蓄電池１９に蓄えた電力は、電源変換装置２０をもちいて昇降機に必要な３相もしくは単相の交流商用周波数電源に変換させ、巻上機モータ１７の動力や戸開閉の電力に使用する。なお、独立型システムとして、電力会社との電力売買はしない。
【００２５】
また、小荷物専用昇降機の使用時において、巻上機モータ１７側に発生する逆起電力は、周波数変換制御装置２１を介して蓄電池に回生電力として充電する。
【００２６】
このように、小荷物専用昇降機の制御に必要な電力を、太陽電池１８で発生した電力と、巻上機モータ１７側から回収した回生電力で全てまかなうことにより、外部エネルギーに依存しない環境配慮形の小荷物専用昇降機となり、使用によるランニングコストの削減だけでなく、停電による問題の発生をなくすことができる。
【００２７】
しかも、建物側に専用の外部専用電源を設ける必要がなくなり、小荷物専用昇降機の設置工事が建物の電気工事に関係なく行えることになる。
【００２８】
また、従来の小荷物専用昇降機は、建物に設置する建築設備でしかなかったが、例えば、ユニットタイプとこの発明の太陽光発電システムの組み合わせでは、屋外に仮設される複数階の建物向けのリフトとして、設置場所を選ばず、かつ、必要な場所でリユースできる用途も考えられる。
【符号の説明】
【００２９】
１１        カゴ
１２        カウンターウエイト
１３        ガイドレール
１４        メインシーブ
１５        開閉扉
１６        操作ボタン
１７        巻上機モータ
１８        太陽電池
１９        蓄電池
２０        電源変換装置
２１        周波数変換制御装置
【図１】
2010179971.tif 000003
【図２】
2010179971.tif 000004
【図３】
2010179971.tif 000005